(57)【要約】【課題】  脱穀側板を補強しつつ部品点数の削減を図る。【解決手段】  脱穀機１０は、扱室１６の下方に該扱室１６から落下する処理物を選別する揺動選別装置３０と、該揺動選別装置３０の下方に横設された２番ラセン４６と、左右脱穀側板５０，５１のうちの一方の脱穀側板５０の外側に設けられ、２番ラセン４６にて搬送された２番物を移送して上方に還元する２番還元筒４８と、を有し、前記一方の脱穀側板５０の上下部に、前後に亘ってフレーム部材５２，５３を延設し、該フレーム部材５２，５３に２番還元筒４８の上下部を固定して、前記一方の脱穀側板５０を補強した。【選択図】      図１   
2005229898.tif 000002
【特許請求の範囲】
【請求項１】
扱室の下方に該扱室から落下する処理物を選別する選別部と、該選別部の下方に横設された２番物移送ラセンと、脱穀側板の外側に設けられ前記２番物移送ラセンにて搬送された２番物を移送して上方に還元する２番還元筒と、を有する脱穀機において、
前記脱穀側板の上下部に、前後に亘ってフレーム部材を延設し、該フレーム部材に前記２番還元筒の上下部を固定した、
ことを特徴とする脱穀機の枠体構造。
【請求項２】
前記脱穀側板の上下方向の中途部に、前記２番物移送ラセンを保守点検する開閉蓋を取付けた、
ことを特徴とする請求項１記載の脱穀機の枠体構造。
【発明の詳細な説明】
【技術分野】
【０００１】
本発明は、コンバイン等に搭載される脱穀機の枠体構造に関し、特に脱穀側板を２番還元筒にて補強した脱穀機の枠体構造に関する。
【背景技術】
【０００２】
従来、コンバイン等に搭載される脱穀機は、扱室の下方に配置されかつ前後に揺動して扱室から落下する処理物を揺動選別する揺動選別装置を備えていて、該揺動選別装置の下方に１番ラセンを設け、選別された１番物を１番揚穀筒によって穀粒タンクに貯留すると共に、１番ラセンの後方に２番ラセンを設け、該２番ラセンの移送方向の軸端に設けた動力伝動部に、２番還元筒を上下方向に向けて延設していた。また、該２番還元筒の上端部には、２番物の還元口を開口し、該還元口から揺動選別装置に２番物を放出還元するような構成を有していた。そして、前記２番還元筒は、下方の２番ラセンと上方の前記還元口との間に亘って脱穀側板に沿って取付けられていた（特許文献１参照）。
【０００３】
【特許文献１】特開平１０−３２７６５５号公報（第２頁、図１）
【発明の開示】
【発明が解決しようとする課題】
【０００４】
しかし、上述した特許文献１に記載された脱穀機によると、２番還元筒の還元口側が脱穀側板の骨のない場所に固定されていたため、若しも２番還元筒内に収容された２番物還元ラセンに詰りが生じた場合等には、２番還元筒と脱穀側板の双方が破損するおそれがあった。また、従来は、２番還元筒の上方の還元口側が、脱穀側板の骨のない場所に固定されていたため脱穀側板自体の強度が弱く、該脱穀側板に掃除窓を付設することが難しかった。このため、２番ラセンに詰りや不具合が生じた場合等にも、その清掃が困難であった。
【０００５】
本発明は、斯かる課題を解決するためになされたもので、その目的とするところは、脱
穀側板を補強しつつ部品点数の削減を図ることのできる脱穀機の枠体構造を提供すること
にある。
【課題を解決するための手段】
【０００６】
前記目的を達成するため、請求項１に係る発明は、扱室（１６）の下方に該扱室（１６）から落下する処理物を選別する選別部（３０）と、該選別部（３０）の下方に横設された２番物移送ラセン（４６）と、脱穀側板（５０）の外側に設けられ前記２番物移送ラセン（４６）にて搬送された２番物を移送して上方に還元する２番還元筒（４８）と、を有する脱穀機（１０）において、
前記脱穀側板（５０）の上下部に、前後に亘ってフレーム部材（５２，５３）を延設し、該フレーム部材（５２，５３）に前記２番還元筒（４８）の上下部を固定した、ことを特徴とする。
【０００７】
請求項２に係る発明は、請求項１記載の脱穀機の枠体構造において、前記脱穀側板（５０）の上下方向の中途部に、前記２番物移送ラセン（４６）を保守点検する開閉蓋（６０）を取付けた、ことを特徴とする。
【０００８】
なお、上述した括弧内の符号は図面を参照するために示すものであって、本発明を何ら限定するものではない。
【発明の効果】
【０００９】
請求項１に係る発明によれば、脱穀側板の上下部に、前後に亘ってフレーム部材を延設し、該フレーム部材に２番還元筒の上下部を固定したので、前記２番還元筒が脱穀側板の構成メンバーとなって該脱穀側板を補強することができると共に、上下のフレーム部材を連結するための補強部材が不要となり、部品点数の削減を図ることができる。
【００１０】
請求項２に係る発明によれば、脱穀側板の上下方向の中途部に、２番物移送ラセンを保守点検する開閉蓋を取付けたので、該２番物移送ラセンに詰りや不具合が生じた場合でも、前記開閉蓋を開けば容易に保守点検を行うことができる。
【発明を実施するための最良の形態】
【００１１】
以下、図面に基づき本発明の実施の形態を説明する。
【００１２】
図１及び図２は、コンバインに搭載される脱穀機の側面図及び斜視図であり、該脱穀機１０は、回動自在に内装軸支された扱胴１２と、該扱胴１２の下方に配置された受網１４（図４参照）と、を有し、扱室カバー１１にて覆われた扱室１６と、該扱室１６の終端側に連設された処理胴１８とその下方のクリンプ網２０と、を有する処理室２２が配置されている。該処理室２２の左右一側方（扱室１６と左右反対側）は、処理室側板２５で覆われている（図２、図４参照）。前記処理胴１８には、駆動軸１９を介して扱胴１２からの動力が伝達される。扱胴１２には、その外周部に多数の扱歯１２ａが植設されていて、該扱歯１２ａにより、フィードチェン２４によって扱室１６内に搬送されてきた穀稈の脱穀が行われる。脱穀済みの穀稈は、フィードチェン２４から排藁搬送装置２１の排藁搬送チェン２１ａに継送され、排藁切断装置２３に供給されて細かく切断され圃場の既刈地に放出される。
【００１３】
扱室１６及び処理室２２の下方には、機体前後に配設された唐箕ファン２６及び排塵ファン２８とで形成される選別風路中に、前後方向に揺動運動して扱室１６及び処理室２２から落下する処理物の揺動選別を行う揺動選別装置（選別部）３０が配置されている。この揺動選別装置３０は、受網１４の下方で前部に位置する揺動流板３２と、該揺動流板３２の終端部から後方に向けて配置されたチャフシーブ３４と、該チャフシーブ３４の下方に配置されたグレンシーブ３６と、該グレンシーブ３６の終端部から後方に向けて配設されたストローラック３８を有している。
【００１４】
また、揺動選別装置３０の下方には１番ラセン４０が横設され、選別された１番物は、１番ラセン４０の移送方向の端部に配設された１番揚穀筒４２によって揚上移送され、該１番物が開口部４２ａから放出されて図示しない穀粒タンクに一時的に貯留される。更に、１番ラセン４０の後方には、横断流ファン４４を挟んで２番ラセン（２番物移送ラセン）４６が前記１番ラセン４０と略々平行に横設され、該２番ラセン４６の移送方向の端部には２番還元筒４８が上下方向に延設されている。そして、２番ラセン４６によって移送方向の端部に移送された２番物は、２番還元筒４８に収容された２番還元ラセン４８ｂにより、該２番還元筒４８の上端に開口された還元口４８ａ（図４参照）から前記揺動選別装置３０のチャフシーブ３４に向けて還元放出される。本実施形態では、前記２番還元筒４８は、左右両側の脱穀側板５０，５１のうち一方（機体右側）の脱穀側板５０の外側で、かつ該一方の脱穀側板５０に沿って上下方向に延設されている。
【００１５】
なお、下方に横設された２番ラセン４６の移送方向の端部には、２番還元筒４８の下部にて該２番還元筒４８と一体的に連結された２番ラセン用ケーシング４９が設けられていて、該２番ラセン用ケーシング４９内には伝動ギヤ等が内装されている。この伝動ギヤ等を介し、２番ラセン４６の動力により前記２番還元ラセン４８ｂが駆動されて２番物が揚上移送される。
【００１６】
また、本実施形態では、前記一方の脱穀側板５０の上下部に、前後に亘ってフレーム部材５２，５３を延設し、該フレーム部材５２，５３に前記２番還元筒４８の上下部を固定したものである。
【００１７】
図３において、前記２番還元筒４８は、下方に横設された２番ラセン４６の移送方向の端部の前記２番ラセン用ケーシング４９と、上方の還元口４８ａを囲む上部ケース５４と、の間に亘って一方の脱穀側板５０に沿って上下方向に延設されている。そして、上下部のフレーム部材５２，５３のうち、上方のフレーム部材５２には、前記上部ケース５４がボルト５５で固定され、また、前記下方のフレーム部材５３には、前記２番ラセン用ケーシング４９がボルト５６で固定されている。なお、２番還元筒４８の上下方向の中途部には、横断面が略々円弧状の膨出壁５８が形成され、該膨出壁５８の内側には上述した２番還元ラセン４８ｂが収容されている。この膨出壁５８の円周方向の両端縁側には、正面視左右略々対称の取付片５８ａ，５８ａが一体的に形成されていて、該取付片５８ａ，５８ａは、多数のボルト５９により脱穀側板５０に強固に固定されている。
【００１８】
本実施形態によれば、一方の脱穀側板５０の上下部に、前後に亘って延設したフレーム部材５２，５３に２番還元筒４８の上下部を固定したので、従来のように、２番還元筒４８の還元口４８ａ側が脱穀側板５０の骨のない場所に固定されていた場合に比して、２番還元筒４８が脱穀側板５０の構成メンバーとなって該脱穀側板５０が補強される。このため、２番還元筒４８及び脱穀側板５０の強度が高められることから、例えば２番還元筒４８内の２番還元ラセン４８ｂに詰り等が生じた場合においても、２番還元筒４８及び脱穀側板５０の双方における破損のおそれがなくなる。また、２番還元筒４８が上下方向の骨となることから、上下のフレーム部材５２，５３を補強する専用の部材が不要となる。
【００１９】
次に、本実施形態において、脱穀側板５０の上下方向の中途部に、２番ラセン４６を保守点検するための開閉蓋６０を取付けた。
【００２０】
図３において、脱穀側板５０の上下方向の略々中間部に、矩形状の開閉蓋６０がボルト６１で取付けられていて、この開閉蓋６０はボルト６１を取外せば穴を介して２番ラセン４６の上方空間が露出する。このため、２番ラセン４６に詰りが生じた場合等にも、開閉蓋６０で覆われた穴を介して中に手を突っ込むことができ、こうして２番ラセン４６を容易に保守点検することができる。なお、左右他側の脱穀側板５１にも、同様の開閉蓋６１が取付けられていて、この開閉蓋６１を介して１番ラセン４０の詰り等にも対応することができる。
【００２１】
本実施形態によれば、上述したように、一方の脱穀側板５０の上下部に、前後に亘って延設したフレーム部材５２，５３に２番還元筒４８の上下部を固定したので、脱穀側板５０自体を厚くしなくても該脱穀側板５０が補強されることとなり、更に該脱穀側板５０自体を厚くしなくても、強度を損なうことなく該脱穀側板５０に保守点検用の開閉蓋６０を形成することが可能となる。
【図面の簡単な説明】
【００２２】
【図１】本発明が適用された脱穀機の側面図である。
【図２】同上の外観斜視図である。
【図３】同上の要部斜視図である。
【図４】脱穀機の断正面図である。
【符号の説明】
【００２３】
１０      脱穀機
１６      扱室
３０      揺動選別装置（選別部）
４６      ２番ラセン（２番物移送ラセン）
４８      ２番還元筒
４８ａ    還元口
４８ｂ    ２番還元ラセン
４９      ２番ラセン用ケーシング
５０      脱穀側板
５１      脱穀側板
５２      フレーム部材
５３      フレーム部材
５４      上部ケース
６０      開閉蓋
【図１】
2005229898.tif 000003
【図２】
2005229898.tif 000004
【図３】
2005229898.tif 000005
【図４】
2005229898.tif 000006